【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
無線通信のための方法であって、
チャネル状態条件を測定するために、第１のリソースパターングループのための第１のリソースパターンと、第２のリソースパターングループのための第２のリソースパターンとを示す識別子をユーザ端末（ＵＥ）にシグナリングすることと、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信することと、
前記少なくとも１つの受信されたチャネル状態条件報告に基づいて、前記ＵＥによる使用のために１または複数のリソースを決定することと
を備える方法。
【請求項２】
前記第１のリソースパターングループのための第１のリソースパターンと、前記第２のリソースパターングループのための第２のリソースパターンとを示す前記識別子をシグナリングすることはさらに、ラジオリソース制御（ＲＲＣ）または動的シグナリングのうちの少なくとも１つを使用することを備える、請求項１に記載の方法。
【請求項３】
前記第１のリソースパターングループのための第１のリソースパターンと、前記第２のリソースパターングループのための第２のリソースパターンとはさらに、前記識別子がシグナリングされるサブフレームに基づいて示される、請求項１に記載の方法。
【請求項４】
前記識別子は、チャネル推定に使用される前記第１のリソースエレメントパターンに基づいて前記第２のリソースエレメントパターンを識別するマッピングを通して、前記干渉推定のための前記第２のリソースエレメントパターンを示す、請求項１に記載の方法。
【請求項５】
前記第１のリソースエレメントパターンと前記第２のリソースエレメントパターンとの間のマッピングは、前記識別子がシグナリングされるサブフレームに依存する、請求項４に記載の方法。
【請求項６】
第１のリソースパターンに関連付けられた前記第２のリソースエレメントパターンは、前記第２のリソースパターンに関連付けられた前記第２のリソースエレメントパターンと同じである、請求項１に記載の方法。
【請求項７】
前記シグナリングすることはさらに、前記第２のリソースパターンに関連付けられた前記第１のリソースエレメントパターンに基づいて、前記第２のリソースパターングループからの干渉を説明する（account for）ようにとの命令を備える、請求項１に記載の方法。
【請求項８】
シグナリングすることはさらに、前記チャネル状態条件報告を調整するためのプリコーディング情報を示す、請求項７に記載の方法。
【請求項９】
前記第１のリソースパターンおよび第２のリソースパターンは、チャネル状態情報基準信号（ＣＳＩ−ＲＳ）パターンである、請求項１に記載の方法。
【請求項１０】
前記識別子はさらに、前記第１または第２のリソースパターングループのうちの前記少なくとも１つの１または複数の共通基準信号（ＣＲＳ）パターンに対応する第３のリソースパターンを示し、前記測定されたチャネル状態条件はさらに、前記第３のリソースパターンに基づく、請求項９に記載の方法。
【請求項１１】
前記シグナリングすることは、ＲＲＣシグナリングまたは動的シグナリングのうちの少なくとも１つを備え、前記ＲＲＣシグナリングは、１または複数の識別子オプションを備え、前記動的シグナリングは、前記１または複数の識別子オプションのどれが使用されるべきかを示すために使用される１または複数のビットを備える、請求項１に記載の方法。
【請求項１２】
前記シグナリングすることは、ＲＲＣシグナリングまたは動的シグナリングのうちの少なくとも１つを備え、前記動的シグナリングは、少なくとも前記第１のリソースパターンと前記第２のリソースパターンとを示すビットマップへのリンクを備える、請求項１に記載の方法。
【請求項１３】
前記チャネル状態条件報告を受信することはさらに、周期的なチャネル状態条件報告を受信することを備え、前記測定値は、前記識別子に含まれる情報に依存して、前記報告に含まれ、前記識別子は、
異なるサブフレームで前記第１または第２のリソースパターングループのいずれかについて取得されるべき測定値の異なるインスタンス、または
測定値の決定された最良のセットが、前記チャネル状態条件報告に含まれるべきであること、
のうちの少なくとも１つを示す、請求項１に記載の方法。
【請求項１４】
前記チャネル状態条件報告を受信することはさらに、非周期的なチャネル状態条件報告を受信することを備え、前記識別子は、前記第１または前記第２のリソースパターングループのうちの少なくとも１つに対して取得されるべき前記測定値を示す、請求項１に記載の方法。
【請求項１５】
前記識別子は、少なくとも１つのさらなるリソースパターンを示し、前記受信された少なくとも１つのチャネル条件報告はさらに、前記少なくとも１つのさらなるリソースパターンに少なくとも部分的に基づく、請求項１に記載の方法。
【請求項１６】
無線通信のための方法であって、
第１のリソースパターングループのための第１のリソースパターン、および、第２のリソースパターングループための第２のリソースパターン、のシグナリングを示す識別子を、ＵＥによって、受信することと、ここにおいて、前記第１および第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行することと、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行することと、
前記干渉およびチャネル推定の少なくとも一部に基づいて、前記第１または第２のリソースパターングループのうちの少なくとも１つについてのチャネル状態条件報告を生成することと、
前記チャネル状態条件報告を送信することと
を備える方法。
【請求項１７】
前記第１のリソースパターンに関連付けられた第２のリソースエレメントパターンは、前記第２のリソースパターンに関連付けられた前記第２のリソースエレメントパターンと同じである、請求項１６に記載の方法。
【請求項１８】
前記第１および第２のリソースパターンは、それぞれ、ＣＳＩ−ＲＳパターンを備える、請求項１６に記載の方法。
【請求項１９】
受信することはさらに、前記第１および第２のリソースパターングループに関連付けられたＣＲＳパターンを備える第３のリソースパターンを受信することを備え、前記干渉推定を実行することはさらに、前記１または複数のＣＲＳパターンに基づいて、前記第１および第２のリソースパターングループの外からの干渉を推定することを備える、請求項１８に記載の方法。
【請求項２０】
前記第１および第２のリソースパターングループの間でチャネルおよび干渉推定値を比較することによって、最良のチャネル状態条件を有するリソースパターングループを決定することをさらに備え、
前記送信することはさらに、前記最良のチャネル状態条件を有する前記リソースパターングループに関連付けられた前記チャネル状態条件報告を送信することを備える、請求項１６に記載の方法。
【請求項２１】
前記識別子は、半静的または動的シグナリングのうちの少なくとも１つを使用して、前記第１のリソースパターングループのための前記第１のリソースパターンと、前記第２のリソースパターングループのための第２のリソースパターンとを示す、請求項１６に記載の方法。
【請求項２２】
サブフレームに基づいて、前記第１のリソースパターングループのための前記第１のリソースパターンと、前記第２のリソースパターングループのための第２のリソースパターンとを選択することをさらに備える、請求項２１に記載の方法。
【請求項２３】
前記識別子は、チャネル推定に使用される前記第１のリソースエレメントパターンに基づいて前記第２のリソースエレメントパターンを識別するマッピングを通して、干渉推定のための前記第２のリソースエレメントパターンを示す、請求項１６に記載の方法。
【請求項２４】
前記第１のリソースエレメントパターンと前記第２のリソースエレメントパターンとの間のマッピングは、サブフレームに依存する、請求項２３に記載の方法。
【請求項２５】
前記識別子は、少なくとも１つのさらなるリソースパターンを示し、ここにおいて、前記チャネルおよび干渉推定を実行することはさらに、前記少なくとも１つのさらなるリソースパターンに関連付けられた第１のリソースエレメントパターンを使用してチャネル推定を実行することと、前記少なくとも１つのさらなるリソースパターンに関連付けられた第２のリソースエレメントパターンを使用して干渉推定を実行することとを備え、前記生成することはさらに、前記少なくとも１つのさらなるリソースパターンについての前記チャネル状態条件報告を生成することを備える、請求項１６に記載の方法。
【請求項２６】
無線通信のための装置であって、
チャネル状態条件を測定するために、第１のリソースパターングループのための第１のリソースパターンと、第２のリソースパターングループのための第２のリソースパターンとを示す識別子をＵＥにシグナリングする手段と、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信する手段と、
前記少なくとも１つの受信されたチャネル状態条件報告に基づいて、前記ＵＥによる使用のために１または複数のリソースを決定する手段と
を備える装置。
【請求項２７】
前記識別子は、少なくとも１つのさらなるリソースパターンを示し、前記受信された少なくとも１つのチャネル条件報告はさらに、前記少なくとも１つのさらなるリソースパターンに少なくとも部分的に基づく、請求項２６に記載の装置。
【請求項２８】
無線通信の装置であって、
第１のリソースパターングループのための第１のリソースパターン、および、第２のリソースパターングループのための第２のリソースパターン、のシグナリングを示す識別子を、ＵＥによって、受信する手段と、ここにおいて、前記第１および前記第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行する手段と、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行する手段と、
前記干渉およびチャネル推定の少なくとも一部に基づいて、前記第１または第２のリソースパターングループのうちの少なくとも１つについてのチャネル状態条件報告を生成する手段と、
前記チャネル状態条件報告を送信する手段と
を備える装置。
【請求項２９】
第１のリソースパターンに関連付けられた前記第２のリソースエレメントパターンは、前記第２のリソースパターンに関連付けられた前記第２のリソースエレメントパターンと同じである、請求項２８に記載の装置。
【請求項３０】
前記第１および第２のリソースパターンは、それぞれ、ＣＳＩ−ＲＳパターンを備える、請求項２８に記載の装置。
【請求項３１】
前記受信する手段はさらに、前記第１および前記第２のリソースパターングループに関連付けられたＣＲＳパターンを備える第３のリソースパターンを受信する手段を備え、前記干渉推定を実行する手段はさらに、前記１または複数のＣＲＳパターンを用いて、前記第１および前記第２のリソースパターングループの外からの干渉を推定する手段を備える、請求項３０に記載の装置。
【請求項３２】
前記第１および第２のリソースパターングループの間でチャネルおよび干渉推定値を比較することによって、最良のチャネル状態条件を有するリソースパターングループを決定する手段をさらに備え、
前記送信する手段はさらに、前記最良のチャネル状態条件を有する前記リソースパターングループに関連付けられた前記チャネル状態条件報告を送信する手段を備える、請求項２８に記載の装置。
【請求項３３】
前記識別子は、半静的または動的シグナリングのうちの少なくとも１つを使用して、前記第１のリソースパターングループのための前記第１のリソースパターンと、前記第２のリソースパターングループのための第２のリソースパターンとを示す、請求項２８に記載の装置。
【請求項３４】
サブフレームに基づいて、前記第１のリソースパターングループのための前記第１のリソースパターン、および、前記第２のリソースパターングループのための第２のリソースパターンを選択する手段をさらに備える、請求項３３に記載の装置。
【請求項３５】
前記識別子は、チャネル推定に使用される前記第１のリソースエレメントパターンに基づいて前記第２のリソースエレメントパターンを識別するマッピングを通して、干渉推定のための前記第２のリソースエレメントパターンを示す、請求項２８に記載の装置。
【請求項３６】
前記第１のリソースエレメントパターンと前記第２のリソースエレメントパターンとの間のマッピングは、サブフレームに依存する、請求項３５に記載の装置。
【請求項３７】
前記識別子は、少なくとも１つのさらなるリソースパターンを示し、前記チャネルおよび干渉推定を実行する手段はさらに、少なくとも１つのさらなるリソースパターンに関連付けられた第１のリソースエレトパターンを使用してチャネル推定を実行する手段と、前記少なくとも１つのさらなるリソースパターンに関連付けられた第２のリソースエレメントパターンを使用して干渉推定を実行する手段とを備え、前記生成する手段はさらに、前記少なくとも１つのさらなるリソースパターンについての前記チャネル状態条件報告を生成する手段を備える、請求項２８に記載の装置。
【請求項３８】
コンピュータ読取可能な媒体を備えるコンピュータプログラム製品であって、前記コンピュータ読取可能な媒体は、
チャネル状態条件を測定するために、第１のリソースパターングループのための第１のリソースパターンと、第２のリソースパターングループのための第２のリソースパターンとを示す識別子をＵＥにシグナリングし、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、少なくとも１つのチャネル状態条件報告を前記ＵＥから受信し、
前記少なくとも１つの受信されたチャネル状態条件報告に基づいて、前記ＵＥによる使用のために１または複数のリソースを決定する
ためのコードを備える、コンピュータプログラム製品。
【請求項３９】
コンピュータ読取可能な媒体を備えるコンピュータプログラム製品であって、前記コンピュータ読取可能な媒体は、
第１のリソースパターングループのための第１のリソースパターン、および、第２のリソースパターングループのための第２のリソースパターン、のシグナリングを示す識別子を、ＵＥによって、受信し、ここにおいて、前記第１および第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行し、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行し、
前記干渉およびチャネル推定の少なくとも一部に基づいて、前記第１または第２のリソースパターングループのうちの少なくとも１つについてのチャネル状態条件報告を生成し、
前記チャネル状態条件報告を送信する
ためのコードを備える、コンピュータプログラム製品。
【請求項４０】
無線通信のための装置であって、
チャネル状態条件を測定するために、第１のリソースパターングループのための第１のリソースパターンと、第２のリソースパターングループのための第２のリソースパターンとを示す識別子をＵＥにシグナリングし、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信し、
前記少なくとも１つの受信されたチャネル状態条件報告に基づいて、前記ＵＥによる使用のために１または複数のリソースを決定する
ように構成された処理システムを備える装置。
【請求項４１】
第１のリソースパターンに関連付けられた前記第２のリソースエレメントパターンは、前記第２のリソースパターンに関連付けられた前記第２のリソースエレメントパターンと同じである、請求項４０に記載の装置。
【請求項４２】
前記処理システムはさらに、前記第２のリソースパターンに関連付けられた前記第１のリソースエレメントパターンに基づいて、前記第２のリソースパターングループからの干渉を説明する（account for）ようにとの命令をシグナリングするように構成される、請求項４０に記載の装置。
【請求項４３】
前記処理システムはさらに、前記第１または第２のリソースパターングループのうちのどちらが前記チャネル状態条件報告に対して選択されなかったかに基づいて前記第１のリソースパターングループまたは前記第２のリソースパターングループのいずれかからの干渉に基づいたチャネル状態条件報告を調整するためのプリコーディング情報をシグナリングするように構成される、請求項４２に記載の装置。
【請求項４４】
前記識別子はさらに、前記第１または第２のリソースパターングループのうちの前記少なくとも１つの１または複数の共通基準信号（ＣＲＳ）パターンに対応する第３のリソースパターンを示し、前記測定されたチャネル状態条件はさらに、前記第３のリソースパターンに基づく、請求項４３に記載の装置。
【請求項４５】
前記処理システムはさらに、ＲＲＣシグナリングまたは動的シグナリングのうちの少なくとも１つをシグナリングするように構成され、前記ＲＲＣシグナリングは、１または複数の識別子オプションを備え、前記動的シグナリングは、前記１または複数の識別子オプションのうちのどれが使用されるべきかを示すために使用される１または複数のビットを備える、請求項４０に記載の装置。
【請求項４６】
前記処理システムはさらに、ＲＲＣシグナリングまたは動的シグナリングを使用してシグナリングするように構成され、前記動的シグナリングは、少なくとも前記第１のリソースパターンと前記第２のリソースパターンとを示すビットマップへのリンクを備える、請求項４０に記載の装置。
【請求項４７】
前記処理システムはさらに、周期的なチャネル状態条件報告を受信するように構成され、前記測定値は、前記識別子に含まれる情報に依存して、前記報告に含まれ、前記識別子は、
異なるサブフレームで前記第１または第２のリソースパターングループのいずれかについて取得されるべき測定値の異なるインスタンス、または
測定値の決定された最良のセットが、前記チャネル状態条件報告に含まれるべきであること
のうちの少なくとも１つを示す、請求項４０に記載の装置。
【請求項４８】
前記処理システムはさらに、非周期的なチャネル状態条件報告を受信するように構成され、前記識別子は、前記第１または前記第２のリソースパターングループのうちの少なくとも１つに対して取得されるべき前記測定値を示す、請求項４０に記載の装置。
【請求項４９】
無線通信の装置であって、
第１のリソースパターングループのための第１のリソースパターン、および、第２のリソースパターングループのための第２のリソースパターン、のシグナリングを示す識別子を受信し、ここにおいて、前記第１および前記第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行し、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行し、
前記干渉およびチャネル推定の少なくとも一部に基づいて、前記第１または第２のリソースパターングループのうちの少なくとも１つについてのチャネル状態条件報告を生成し、
前記チャネル状態条件報告を送信する
ように構成された処理システムを備える、装置。
【請求項５０】
前記処理システムはさらに、
前記第１および第２のリソースパターングループに関連付けられたＣＲＳパターンを備える第３のリソースパターンを受信し、
前記１または複数のＣＲＳパターンを使用して前記第１および第２のリソースパターングループの外からの干渉を推定するように構成される、請求項４９に記載の装置。
【請求項５１】
前記処理システムはさらに、
前記第１および第２のリソースパターングループの間でチャネルおよび干渉推定値を比較することによって、最良のチャネル状態条件を有するリソースパターングループを決定し、
前記最良のチャネル状態条件を有する前記リソースパターングループに関連付けられた前記チャネル状態条件報告を送信する
ように構成される、請求項４９に記載の装置。
【請求項５２】
前記識別子は、少なくとも１つのさらなるリソースパターンを示し、前記処理システムはさらに、
前記少なくとも１つのさらなるリソースパターンに関連付けられた第１のリソースエレメントパターンを使用してチャネル推定を実行し、前記少なくとも１つのさらなるリソースパターンに関連付けられた第２のリソースエレメントパターンを使用して干渉推定を実行し、
前記少なくとも１つのさらなるリソースパターンについての前記チャネル状態条件報告を生成する
ように構成される、請求項４９に記載の装置。
【手続補正２】
【補正対象書類名】明細書
【補正対象項目名】００６９
【補正方法】変更
【補正の内容】
【００６９】
[0087]  ブロック１２０４、において、送信ポイントグループの各々（例えば、第１のグループ、第２のグループ、第Ｎのグループ、等）は、リソースパターンが割り付けられうる。１つの態様において、リソースパターンは、ＣＳＩフィードバック報告の一部として、シグナリングに使用されうる。さらに、各リソースパターングループは、第１のリソースエレメントパターン（ブロック１２０６）および第２のリソースエレメントパターン（ブロック１２０８）を含みうる。オプション的な態様において、第１のリソースエレメントパターンと第２のリソースエレメントパターンとの間でのマッピング（例えば、暗示的なリンケージ）が存在しうる。そのようなマッピングは、シグナリングオーバヘッドを減らし、それによって、システム性能を向上させうる。
【手続補正３】
【補正対象書類名】明細書
【補正対象項目名】０１０４
【補正方法】変更
【補正の内容】
【０１０４】
[00122]  以上の記述は、どの当業者でも、本明細書に記述された様々な態様を実施することを可能にするために提供される。これらの態様に対する様々な変更は、当業者には容易に明らかであり、本明細書で定義された包括的な原理は、他の態様に適用されうる。このように、特許請求の範囲は、本明細書において示された態様を限定するように意図されたものではなく、特許請求の範囲と一致する全範囲であると認められるべきである。ここにおいて、単数系のエレメントへの言及は、そうであると明確に述べられない限りは「１および１つだけ」を意味するのではなく、むしろ「１または複数」を意味することが意図されている。別途明確な記載がない限り、「いつかの」という用語は、１または複数を意味する。当業者に知られている、あるいは後に知られる本開示全体を通して説明された様々な態様のエレメントに対するすべての構造的および機能的な均等物は、参照によって本明細書に明確に組み込まれ、請求項によって包含されるよう意図される。さらに、本明細書で開示されたものはいずれも、そのような開示が特許請求の範囲で明確に述べられているか否かに関係なく、公用にささげられることは意図されていない。請求項のエレメントが、「〜する手段」という表現を使用して、あるいは方法請求項である場合には「〜するステップ」という表現を使用して明確に記載されていない限り、どのエレメントも米国特許法第１１２条第６段落に基づいて解釈されるべきではない。
なお、本願の出願当初の請求項と同一の記載を以下に付記する。
［Ｃ１］ 無線通信のための方法であって、
チャネル状態条件を測定するために、第１のリソースパターングループのための第１のリソースパターンと、第２のリソースパターングループのための第２のリソースパターンとを示す識別子をユーザ端末（ＵＥ）にシグナリングすることと、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信することと、
前記少なくとも１つの受信されたチャネル状態条件報告に基づいて、前記ＵＥによる使用のために１または複数のリソースを決定することと
を備える方法。
［Ｃ２］ 前記第１のリソースパターングループのための第１のリソースパターンと、前記第２のリソースパターングループのための第２のリソースパターンとを示す前記識別子をシグナリングすることはさらに、ラジオリソース制御（ＲＲＣ）または動的シグナリングのうちの少なくとも１つを使用することを備える、Ｃ１に記載の方法。
［Ｃ３］ 前記第１のリソースパターングループのための第１のリソースパターンと、前記第２のリソースパターングループのための第２のリソースパターンとはさらに、前記識別子がシグナリングされるサブフレームに基づいて示される、Ｃ１に記載の方法。
［Ｃ４］ 前記識別子は、チャネル推定に使用される前記第１のリソースエレメントパターンに基づいて前記第２のリソースエレメントパターンを識別するマッピングを通して、前記干渉推定のための前記第２のリソースエレメントパターンを示す、Ｃ１に記載の方法。
［Ｃ５］ 前記第１のリソースエレメントパターンと前記第２のリソースエレメントパターンとの間のマッピングは、前記識別子がシグナリングされるサブフレームに依存する、Ｃ４に記載の方法。
［Ｃ６］ 第１のリソースパターンに関連付けられた前記第２のリソースエレメントパターンは、前記第２のリソースパターンに関連付けられた前記第２のリソースエレメントパターンと同じである、Ｃ１に記載の方法。
［Ｃ７］ 前記シグナリングすることはさらに、前記第２のリソースパターンに関連付けられた前記第１のリソースエレメントパターンに基づいて、前記第２のリソースパターングループからの干渉を説明する（account for）ようにとの命令を備える、Ｃ１に記載の方法。
［Ｃ８］ シグナリングすることはさらに、前記チャネル状態条件報告を調整するためのプリコーディング情報を示す、Ｃ７に記載の方法。
［Ｃ９］ 前記第１のリソースパターンおよび第２のリソースパターンは、チャネル状態情報基準信号（ＣＳＩ−ＲＳ）パターンである、Ｃ１に記載の方法。
［Ｃ１０］ 前記識別子はさらに、前記第１または第２のリソースパターングループのうちの前記少なくとも１つの１または複数の共通基準信号（ＣＲＳ）パターンに対応する第３のリソースパターンを示し、前記測定されたチャネル状態条件はさらに、前記第３のリソースパターンに基づく、Ｃ９に記載の方法。
［Ｃ１１］ 前記シグナリングすることは、ＲＲＣシグナリングまたは動的シグナリングのうちの少なくとも１つを備え、前記ＲＲＣシグナリングは、１または複数の識別子オプションを備え、前記動的シグナリングは、前記１または複数の識別子オプションのどれが使用されるべきかを示すために使用される１または複数のビットを備える、Ｃ１に記載の方法。
［Ｃ１２］ 前記シグナリングすることは、ＲＲＣシグナリングまたは動的シグナリングのうちの少なくとも１つを備え、前記動的シグナリングは、少なくとも前記第１のリソースパターンと前記第２のリソースパターンとを示すビットマップへのリンクを備える、Ｃ１に記載の方法。
［Ｃ１３］ 前記チャネル状態条件報告を受信することはさらに、周期的なチャネル状態条件報告を受信することを備え、前記測定値は、前記識別子に含まれる情報に依存して、前記報告に含まれ、前記識別子は、
異なるサブフレームで前記第１または第２のリソースパターングループのいずれかについて取得されるべき測定値の異なるインスタンス、または
測定値の決定された最良のセットが、前記チャネル状態条件報告に含まれるべきであること、
のうちの少なくとも１つを示す、Ｃ１に記載の方法。
［Ｃ１４］ 前記チャネル状態条件報告を受信することはさらに、非周期的なチャネル状態条件報告を受信することを備え、前記識別子は、前記第１または前記第２のリソースパターングループのうちの少なくとも１つに対して取得されるべき前記測定値を示す、Ｃ１に記載の方法。
［Ｃ１５］ 前記識別子は、少なくとも１つのさらなるリソースパターンを示し、前記受信された少なくとも１つのチャネル条件報告はさらに、前記少なくとも１つのさらなるリソースパターンに少なくとも部分的に基づく、Ｃ１に記載の方法。
［Ｃ１６］ 無線通信のための方法であって、
第１のリソースパターングループのための第１のリソースパターン、および、第２のリソースパターングループための第２のリソースパターン、のシグナリングを示す識別子を、ＵＥによって、受信することと、ここにおいて、前記第１および第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行することと、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行することと、
前記干渉およびチャネル推定の少なくとも一部に基づいて、前記第１または第２のリソースパターングループのうちの少なくとも１つについてのチャネル状態条件報告を生成することと、
前記チャネル状態条件報告を送信することと
を備える方法。
［Ｃ１７］ 前記第１のリソースパターンに関連付けられた第２のリソースエレメントパターンは、前記第２のリソースパターンに関連付けられた前記第２のリソースエレメントパターンと同じである、Ｃ１６に記載の方法。
［Ｃ１８］ 前記第１および第２のリソースパターンは、それぞれ、ＣＳＩ−ＲＳパターンを備える、Ｃ１６に記載の方法。
［Ｃ１９］ 受信することはさらに、前記第１および第２のリソースパターングループに関連付けられたＣＲＳパターンを備える第３のリソースパターンを受信することを備え、前記干渉推定を実行することはさらに、前記１または複数のＣＲＳパターンに基づいて、前記第１および第２のリソースパターングループの外からの干渉を推定することを備える、Ｃ１８に記載の方法。
［Ｃ２０］ 前記第１および第２のリソースパターングループの間でチャネルおよび干渉推定値を比較することによって、最良のチャネル状態条件を有するリソースパターングループを決定することをさらに備え、
前記送信することはさらに、前記最良のチャネル状態条件を有する前記リソースパターングループに関連付けられた前記チャネル状態条件報告を送信することを備える、Ｃ１６に記載の方法。
［Ｃ２１］ 前記識別子は、半静的または動的シグナリングのうちの少なくとも１つを使用して、前記第１のリソースパターングループのための前記第１のリソースパターンと、前記第２のリソースパターングループのための第２のリソースパターンとを示す、Ｃ１６に記載の方法。
［Ｃ２２］ サブフレームに基づいて、前記第１のリソースパターングループのための前記第１のリソースパターンと、前記第２のリソースパターングループのための第２のリソースパターンとを選択することをさらに備える、Ｃ２１に記載の方法。
［Ｃ２３］ 前記識別子は、チャネル推定に使用される前記第１のリソースエレメントパターンに基づいて前記第２のリソースエレメントパターンを識別するマッピングを通して、干渉推定のための前記第２のリソースエレメントパターンを示す、Ｃ１６に記載の方法。
［Ｃ２４］ 前記第１のリソースエレメントパターンと前記第２のリソースエレメントパターンとの間のマッピングは、サブフレームに依存する、Ｃ２３に記載の方法。
［Ｃ２５］ 前記識別子は、少なくとも１つのさらなるリソースパターンを示し、ここにおいて、前記チャネルおよび干渉推定を実行することはさらに、前記少なくとも１つのさらなるリソースパターンに関連付けられた第１のリソースエレメントパターンを使用してチャネル推定を実行することと、前記少なくとも１つのさらなるリソースパターンに関連付けられた第２のリソースエレメントパターンを使用して干渉推定を実行することとを備え、前記生成することはさらに、前記少なくとも１つのさらなるリソースパターンについての前記チャネル状態条件報告を生成することを備える、Ｃ１６に記載の方法。
［Ｃ２６］ 無線通信のための装置であって、
チャネル状態条件を測定するために、第１のリソースパターングループのための第１のリソースパターンと、第２のリソースパターングループのための第２のリソースパターンとを示す識別子をＵＥにシグナリングする手段と、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信する手段と、
前記少なくとも１つの受信されたチャネル状態条件報告に基づいて、前記ＵＥによる使用のために１または複数のリソースを決定する手段と
を備える装置。
［Ｃ２７］ 前記識別子は、少なくとも１つのさらなるリソースパターンを示し、前記受信された少なくとも１つのチャネル条件報告はさらに、前記少なくとも１つのさらなるリソースパターンに少なくとも部分的に基づく、Ｃ２６に記載の装置。
［Ｃ２８］ 無線通信の装置であって、
第１のリソースパターングループのための第１のリソースパターン、および、第２のリソースパターングループのための第２のリソースパターン、のシグナリングを示す識別子を、ＵＥによって、受信する手段と、ここにおいて、前記第１および前記第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行する手段と、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行する手段と、
前記干渉およびチャネル推定の少なくとも一部に基づいて、前記第１または第２のリソースパターングループのうちの少なくとも１つについてのチャネル状態条件報告を生成する手段と、
前記チャネル状態条件報告を送信する手段と
を備える装置。
［Ｃ２９］ 第１のリソースパターンに関連付けられた前記第２のリソースエレメントパターンは、前記第２のリソースパターンに関連付けられた前記第２のリソースエレメントパターンと同じである、Ｃ２８に記載の装置。
［Ｃ３０］ 前記第１および第２のリソースパターンは、それぞれ、ＣＳＩ−ＲＳパターンを備える、Ｃ２８に記載の装置。
［Ｃ３１］ 前記受信する手段はさらに、前記第１および前記第２のリソースパターングループに関連付けられたＣＲＳパターンを備える第３のリソースパターンを受信する手段を備え、前記干渉推定を実行する手段はさらに、前記１または複数のＣＲＳパターンを用いて、前記第１および前記第２のリソースパターングループの外からの干渉を推定する手段を備える、Ｃ３０に記載の装置。
［Ｃ３２］ 前記第１および第２のリソースパターングループの間でチャネルおよび干渉推定値を比較することによって、最良のチャネル状態条件を有するリソースパターングループを決定する手段をさらに備え、
前記送信する手段はさらに、前記最良のチャネル状態条件を有する前記リソースパターングループに関連付けられた前記チャネル状態条件報告を送信する手段を備える、Ｃ２８に記載の装置。
［Ｃ３３］ 前記識別子は、半静的または動的シグナリングのうちの少なくとも１つを使用して、前記第１のリソースパターングループのための前記第１のリソースパターンと、前記第２のリソースパターングループのための第２のリソースパターンとを示す、Ｃ２８に記載の装置。
［Ｃ３４］ サブフレームに基づいて、前記第１のリソースパターングループのための前記第１のリソースパターン、および、前記第２のリソースパターングループのための第２のリソースパターンを選択する手段をさらに備える、Ｃ３３に記載の装置。
［Ｃ３５］ 前記識別子は、チャネル推定に使用される前記第１のリソースエレメントパターンに基づいて前記第２のリソースエレメントパターンを識別するマッピングを通して、干渉推定のための前記第２のリソースエレメントパターンを示す、Ｃ２８に記載の装置。
［Ｃ３６］ 前記第１のリソースエレメントパターンと前記第２のリソースエレメントパターンとの間のマッピングは、サブフレームに依存する、Ｃ３５に記載の装置。
［Ｃ３７］ 前記識別子は、少なくとも１つのさらなるリソースパターンを示し、前記チャネルおよび干渉推定を実行する手段はさらに、少なくとも１つのさらなるリソースパターンに関連付けられた第１のリソースエレトパターンを使用してチャネル推定を実行する手段と、前記少なくとも１つのさらなるリソースパターンに関連付けられた第２のリソースエレメントパターンを使用して干渉推定を実行する手段とを備え、前記生成する手段はさらに、前記少なくとも１つのさらなるリソースパターンについての前記チャネル状態条件報告を生成する手段を備える、Ｃ２８に記載の装置。
［Ｃ３８］ コンピュータ読取可能な媒体を備えるコンピュータプログラム製品であって、前記コンピュータ読取可能な媒体は、
チャネル状態条件を測定するために、第１のリソースパターングループのための第１のリソースパターンと、第２のリソースパターングループのための第２のリソースパターンとを示す識別子をＵＥにシグナリングし、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、少なくとも１つのチャネル状態条件報告を前記ＵＥから受信し、
前記少なくとも１つの受信されたチャネル状態条件報告に基づいて、前記ＵＥによる使用のために１または複数のリソースを決定する
ためのコードを備える、コンピュータプログラム製品。
［Ｃ３９］ コンピュータ読取可能な媒体を備えるコンピュータプログラム製品であって、前記コンピュータ読取可能な媒体は、
第１のリソースパターングループのための第１のリソースパターン、および、第２のリソースパターングループのための第２のリソースパターン、のシグナリングを示す識別子を、ＵＥによって、受信し、ここにおいて、前記第１および第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行し、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行し、
前記干渉およびチャネル推定の少なくとも一部に基づいて、前記第１または第２のリソースパターングループのうちの少なくとも１つについてのチャネル状態条件報告を生成し、
前記チャネル状態条件報告を送信する
ためのコードを備える、コンピュータプログラム製品。
［Ｃ４０］ 無線通信のための装置であって、
チャネル状態条件を測定するために、第１のリソースパターングループのための第１のリソースパターンと、第２のリソースパターングループのための第２のリソースパターンとを示す識別子をＵＥにシグナリングし、ここにおいて、前記第１および第２のリソースパターングループは、各々、チャネル推定のための第１のリソースエレメントパターンと、干渉推定のための第２のリソースエレメントパターンとを含む、
前記第１のリソースパターンまたは前記第２のリソースパターンのうちの少なくとも１つに基づいて取得された測定値に少なくとも部分的に基づいた、前記ＵＥからの少なくとも１つのチャネル状態条件報告を受信し、
前記少なくとも１つの受信されたチャネル状態条件報告に基づいて、前記ＵＥによる使用のために１または複数のリソースを決定する
ように構成された処理システムを備える装置。
［Ｃ４１］ 第１のリソースパターンに関連付けられた前記第２のリソースエレメントパターンは、前記第２のリソースパターンに関連付けられた前記第２のリソースエレメントパターンと同じである、Ｃ４０に記載の装置。
［Ｃ４２］ 前記処理システムはさらに、前記第２のリソースパターンに関連付けられた前記第１のリソースエレメントパターンに基づいて、前記第２のリソースパターングループからの干渉を説明する（account for）ようにとの命令をシグナリングするように構成される、Ｃ４０に記載の装置。
［Ｃ４３］ 前記処理システムはさらに、前記第１または第２のリソースパターングループのうちのどちらが前記チャネル状態条件報告に対して選択されなかったかに基づいて前記第１のリソースパターングループまたは前記第２のリソースパターングループのいずれかからの干渉に基づいたチャネル状態条件報告を調整するためのプリコーディング情報をシグナリングするように構成される、Ｃ４２に記載の装置。
［Ｃ４４］ 前記識別子はさらに、前記第１または第２のリソースパターングループのうちの前記少なくとも１つの１または複数の共通基準信号（ＣＲＳ）パターンに対応する第３のリソースパターンを示し、前記測定されたチャネル状態条件はさらに、前記第３のリソースパターンに基づく、Ｃ４３に記載の装置。
［Ｃ４５］ 前記処理システムはさらに、ＲＲＣシグナリングまたは動的シグナリングのうちの少なくとも１つをシグナリングするように構成され、前記ＲＲＣシグナリングは、１または複数の識別子オプションを備え、前記動的シグナリングは、前記１または複数の識別子オプションのうちのどれが使用されるべきかを示すために使用される１または複数のビットを備える、Ｃ４０に記載の装置。
［Ｃ４６］ 前記処理システムはさらに、ＲＲＣシグナリングまたは動的シグナリングを使用してシグナリングするように構成され、前記動的シグナリングは、少なくとも前記第１のリソースパターンと前記第２のリソースパターンとを示すビットマップへのリンクを備える、Ｃ４０に記載の装置。
［Ｃ４７］ 前記処理システムはさらに、周期的なチャネル状態条件報告を受信するように構成され、前記測定値は、前記識別子に含まれる情報に依存して、前記報告に含まれ、前記識別子は、
異なるサブフレームで前記第１または第２のリソースパターングループのいずれかについて取得されるべき測定値の異なるインスタンス、または
測定値の決定された最良のセットが、前記チャネル状態条件報告に含まれるべきであること
のうちの少なくとも１つを示す、Ｃ４０に記載の装置。
［Ｃ４８］ 前記処理システムはさらに、非周期的なチャネル状態条件報告を受信するように構成され、前記識別子は、前記第１または前記第２のリソースパターングループのうちの少なくとも１つに対して取得されるべき前記測定値を示す、Ｃ４０に記載の装置。
［Ｃ４９］ 無線通信の装置であって、
第１のリソースパターングループのための第１のリソースパターン、および、第２のリソースパターングループのための第２のリソースパターン、のシグナリングを示す識別子を受信し、ここにおいて、前記第１および前記第２のリソースパターングループは、各々、チャネル推定のための第１のリソースエレメントパターンと、干渉推定のための第２のリソースエレメントパターンとを含む、
前記第１のリソースパターンに関連付けられた前記第１のリソースエレメントパターンを使用して前記第１のリソースパターングループについて、および、前記第２のリソースパターンに関連付けられた前記第１のリソースエレメントパターンを使用して前記第２のリソースパターングループについて、のチャネル推定を実行し、
前記第１のリソースパターンに関連付けられた前記第２のリソースエレメントパターンを使用して前記第１のリソースパターングループについて、および、前記第２のリソースパターンに関連付けられた前記第２のリソースエレメントパターンを使用して前記第２のリソースパターングループについて、の干渉推定を実行し、
前記干渉およびチャネル推定の少なくとも一部に基づいて、前記第１または第２のリソースパターングループのうちの少なくとも１つについてのチャネル状態条件報告を生成し、
前記チャネル状態条件報告を送信する
ように構成された処理システムを備える、装置。
［Ｃ５０］ 前記処理システムはさらに、
前記第１および第２のリソースパターングループに関連付けられたＣＲＳパターンを備える第３のリソースパターンを受信し、
前記１または複数のＣＲＳパターンを使用して前記第１および第２のリソースパターングループの外からの干渉を推定するように構成される、Ｃ４９に記載の装置。
［Ｃ５１］ 前記処理システムはさらに、
前記第１および第２のリソースパターングループの間でチャネルおよび干渉推定値を比較することによって、最良のチャネル状態条件を有するリソースパターングループを決定し、
前記最良のチャネル状態条件を有する前記リソースパターングループに関連付けられた前記チャネル状態条件報告を送信する
ように構成される、Ｃ４９に記載の装置。
［Ｃ５２］ 前記識別子は、少なくとも１つのさらなるリソースパターンを示し、前記処理システムはさらに、
前記少なくとも１つのさらなるリソースパターンに関連付けられた第１のリソースエレメントパターンを使用してチャネル推定を実行し、前記少なくとも１つのさらなるリソースパターンに関連付けられた第２のリソースエレメントパターンを使用して干渉推定を実行する手段を実行し、
前記少なくとも１つのさらなるリソースパターンについての前記チャネル状態条件報告を生成する
ように構成される、Ｃ４９に記載の装置。